(57)【特許請求の範囲】
【請求項１】
軸部と、該軸部の先端に連成された作用端部とを含む根管治療用振動切削工具において、
前記作用端部は、先端に向かって先細の錐状体からなり、該錐状体の底面の略中央において前記軸部に連成され、且つ、前記軸部の軸心と前記錐状体の底面とのなす角度が直角または鋭角とされており、前記底面を含む前記作用端部の全体が歯牙の根管口より根管内に挿入し得る大きさに設定されていることを特徴とする根管治療用振動切削工具。
【請求項２】
請求項１に記載の根管治療用振動切削工具において、
前記錐状体が円錐体であることを特徴とする根管治療用振動切削工具。
【請求項３】
請求項１に記載の根管治療用振動切削工具において、
前記錐状体が角錐体であることを特徴とする根管治療用振動切削工具。
【請求項４】
振動子を把持部に内蔵するハンドピースと、
前記ハンドピースの先端部に着脱自在に装着されて前記振動子による振動が伝播される請求項１乃至３のいずれか１項に記載の根管治療用振動切削工具と、
前記ハンドピースの基部に連結され前記振動子に駆動力を供給する動力媒体供給路を内装する媒体供給用チューブと、
前記駆動力を制御する制御部と、
前記制御部を操作する駆動操作部と、
を備えたことを特徴とする根管治療用振動切削装置。
【発明の詳細な説明】
【技術分野】
【０００１】
本発明は、根管治療用振動切削工具及び根管治療用振動切削装置に係り、更に詳しくは、歯科診療において、根管内壁を切削し、或いは、根管に充填されるガッタパーチャ等の充填物を切削除去する為の根管治療用振動切削工具とこれを用いた根管治療用振動切削装置に関するものである。
【背景技術】
【０００２】
歯科診療において、歯牙の根管内壁を切削し、或いは、根管に充填されるガッタパーチャ等の充填物を切削除去する為に、根管治療用振動切削工具（スケーラチップ）を備えた根管治療用振動切削装置が用いられる。このような根管治療用振動切削装置としては、ハンドピースタイプの把持部と、この把持部に内蔵されたエア駆動或いは超音波振動子の電気駆動による振動発生部と、把持部の先端に設けられた工具着脱部と、この工具着脱部に着脱自在に装着される根管治療用振動切削工具とより構成されたものが挙げられる（例えば、特許文献１参照）。そして、振動発生部による振動は、工具着脱部及び根管治療用振動切削工具の軸部を介して該軸部の先端に連成された作用端部に伝播され、作用端部の振動によって根管内壁の切削や前記充填物の切削除去がなされる。特許文献２には、振動するシャフトの先端に作業ヘッドを取付け、歯に穴を形成して歯の欠陥部を取り除き、或は挿入物（充填物）を除去する為の物質除去器具が開示されている。また、特許文献３には、根管の根尖に近い方から根管に穴を開ける逆根管拡大具が開示されている。更に、特許文献４には、振動するヘッドの先に清掃子となる工具を着脱自在に装着し、清掃子の振動によって歯牙表面或いは歯周を清掃する装置が開示されている。
【先行技術文献】
【特許文献】
【０００３】
【特許文献１】特開２００５−３４８７７０号公報
【特許文献２】特許第３３８８５４５号公報
【特許文献３】特開平５−２１９１７号公報
【特許文献４】特開２０００−１３９９６６号公報
【発明の概要】
【発明が解決しようとする課題】
【０００４】
前記のような根管切削装置を用いて、根管内壁の破折線の切削拡大や、根管内の充填物の切削除去を行う場合、臨床現場では、切削対象の切削効率はもとより、切削物を根管から速やかに取り出せることが重要視される。特許文献１には、根管を切削する為の工具として、針状の軸部の先側にダイヤモンドの微粉末を付着させたものが開示されているが、異物や切削対象物を引っ掛けて削り取り出す際の適性において、多くの術者等のニーズに充分に応え得るとは言えなかった。
【０００５】
また、特許文献２に開示された物質除去器具は、根管切削を意図したものではなく、従って、特許文献２に示された技術思想を根管切削装置に適用したとしても、前記ニーズに応え得るものが実現される蓋然性はない。更に、特許文献４には歯牙表面或いは歯周を清掃する装置が開示されているが、根管切削の為のものとは明確に区別され、従って、この場合も、根管切削装置に適用したとしても、前記ニーズに応え得るものが実現される蓋然性はない。特許文献３の根管拡大具は、根管切削と言う点で本願が対象とする技術分野と共通するが、歯根側から挿入して根管を拡大するものであり、根管充填物の切削除去や、根管の破折線の切削拡大を意図せず、根管切削技術としては特異なものとして位置付けられる。
【０００６】
本発明は、前記に鑑みなされたものであり、根管充填物の切削除去や、根管の破折線の切削拡大を好適に行うことができる根管治療用振動切削工具及び根管治療用振動切削装置を提供することを目的とする。
【課題を解決するための手段】
【０００７】
第一の発明に係る根管治療用振動切削工具は、軸部と、該軸部の先端に連成された作用端部とを含む根管治療用振動切削工具において、前記作用端部は、先端に向かって先細の錐状体からなり、該錐状体の底面の略中央において前記軸部に連成され、且つ、前記軸部の軸心と前記錐状体の底面とのなす角度が直角または鋭角とされており、前記底面を含む前記作用端部の全体が歯牙の根管口より根管内に挿入し得る大きさに設定されていることを特徴とする。
前記錐状体としては、円錐体、或いは角錐体が望ましく採用される。
【０００８】
第二の発明に係る根管治療用振動切削装置は、振動子を把持部に内蔵するハンドピースと、前記ハンドピースの先端部に着脱自在に装着されて前記振動子による振動が伝播される前記いずれかの根管治療用振動切削工具と、前記ハンドピースの基部に連結され前記振動子に駆動力を供給する動力媒体供給路を内装する媒体供給用チューブと、前記駆動力を制御する制御部と、前記制御部を操作する駆動操作部と、を備えたことを特徴とする。
【発明の効果】
【０００９】
第一及び第二の発明によれば、術者は、ハンドピースの先端部に根管治療用振動切削工具を装着し、ハンドピースの把持部を把持して、当該切削工具の作用端部を根管内に挿入し、駆動操作部を操作すると制御部によって制御された所定の駆動力によって振動子から振動を発生させることができる。振動子による振動は、媒体供給用チューブに内装される動力媒体供給路を経て供給される動力媒体の動力エネルギーによってなされる。振動子からの振動は、振動切削工具の軸部を経て作用端部に伝播され、作用端部を根管内に作用させることによって根管治療を実施することができる。作用端部は先端に向かって先細の錐状体からなるから、振動を伴った根管への挿入時に、根管内壁部の切削拡大や根管内の充填物の切削除去が効果的になされる。そして、軸部の軸心と前記錐状体の底面とのなす角度が直角または鋭角とされているので、錐状体の底面周縁部分の振動によって根管内壁や充填物の切削がより効果的になされる。特に、術者は、治療作業中作用端部を根管内で上下させるように操作するが、この時、振動する前記底面周縁部分が根管内の異物や切削対象物に引っ掛かるように作用し、根管充填物の切削除去や破折線の切削拡大といった術式が極めて効率的になされる。
因みに、前記角度が直角（９０°）より大きい場合は、前記引っ掛かり度合いが小さく、切削機能及び除去機能が、術者のニーズに充分に応えるものとはならないことが、本発明者等による多くの臨床的検証で確認されている。
【図面の簡単な説明】
【００１０】
【図１】本発明の根管治療用振動切削装置の一実施形態を示す概略的全体斜視図である。
【図２】同根管治療用振動切削装置に装着される根管治療用振動切削工具の一実施形態の部分破断部分平面図と、部分拡大図である。
【図３】同根管治療用振動切削工具の使用状態を示す概念図である。
【図４】同根管治療用振動切削工具の変形例を示す図２と同様図である。
【図５】同根管治療用振動切削工具の別の変形例を示す図２と同様図である。
【図６】（ａ）は同根管治療用振動切削工具の更に別の変形例を示す図２と同様図であり、（ｂ）は（ａ）の矢視線Ｘから見た図である。
【図７】同根管治療用振動切削工具の更に別の変形例を示す図２と同様図である。
【図８】本発明の他の実施形態の根管治療用振動切削工具を示す図２と同様図である。
【図９】（ａ）は本発明の更に別の実施形態の根管治療用振動切削工具を備えるハンドピースの平面図であり、（ｂ）は同根管治療用振動切削工具の装着部分の分解図である。
【図１０】（ａ）は本発明の更に別の実施形態の根管治療用振動切削工具を備えるハンドピースの平面図であり、（ｂ）は同根管治療用振動切削工具の装着部分の分解図である。
【発明を実施するための形態】
【００１１】
以下、本発明の根管治療用振動切削工具及びこれを用いた根管治療用振動切削装置の実施の形態について図面に基づき説明する。図１は、本発明の一実施形態としての根管治療用振動切削装置の全体構成を示す概略的斜視図である。図１に示す根管治療用振動切削装置１は、振動子３を把持部２ａに内蔵するハンドピース２と、前記ハンドピース２の先端部２ｂに着脱自在に装着されて前記振動子３による振動が伝播される根管治療用振動切削工具（以下、スケーラーチップと言う）１１と、前記ハンドピースの基部２ｃに連結され前記振動子３に駆動力を供給する動力媒体供給路を内装する媒体供給用チューブ４と、前記駆動力を制御する制御部５と、前記制御部５を操作する駆動操作部６とを含んで構成される。制御部５は、本体制御ボックス５０に内装され、この本体制御ボックス５０上には表示部７及び設定操作部８が設けられている。振動子３としては、超音波振動子、或はエア駆動振動子が用いられるが、前者の場合、媒体供給用チューブ４には、動力媒体供給路としての電力線が、後者の場合、動力媒体供給路としての圧縮エアの供給管路が、それぞれ内装される。
【００１２】
前記設定操作部８には、振動子３による振動の出力レベル選択設定スイッチ８１、治療時に後記する注水を同時に行うか否かの選択をする注水選択スイッチ８２、或は、オートストップ設定スイッチ８３等がタッチパネルとして設けられている。オートストップ設定スイッチ８３は、スケーラーチップ１１を一方の測定電極とし、不図示の口腔電極を他方の測定電極として、根管長測定信号を印加しながら振動切削治療を行う場合、スケーラーチップ１１が根管内の基準位置に到達したことを検出して、スケーラーチップ１１の駆動を自動的に停止させる機能を設定するスイッチであり、基準位置を定めるスイッチ８３ａと、オートストップ機能を働かせるか否かを選択する選択スイッチ８３ｂとよりなる。表示部７には、前記設定操作部８で選択設定された各動作条件等が表示される。駆動操作部６は、フートコントローラであり、術者の足踏み操作により、前記設定操作部８により選択設定された各動作条件に基づき、振動子３の駆動を含むハンドピース２の各種機能の動作指示がなされる。前記本体制御ボックス５０の側部には、電源スイッチ９とハンドピースホルダ１０が設けられている。ハンドピース２は、その不使用時に、このハンドピースホルダ１０に保持される。
【００１３】
スケーラーチップ１１は、図２に詳細に示すように、前記ハンドピース２の先端部２ｂに着脱自在に装着させる為の装着基部１２と、該装着基部１２に連成された軸部１３と、該軸部１３の先端に連成された作用端部１４とより構成される。装着基部１２、軸部１３及び作用端部１４は、鋼材を切削及び曲げ加工することによって一体に形成される。装着基部１２の前記ハンドピース２の先端部２ｂ側部分には雄ねじ部１２ａが設けられ、該ハンドピース２の先端部２ｂに設けられる不図示の雌ねじ部に対して螺合し得るようになされている。装着基部１２の軸部１３側部分には、フライスカット部１２ｂが形成され、このフライスカット部１２ｂにレンチ等の工具を宛がい、雄ねじ部１２ａの前記雌ねじ部に対する螺合・螺緩操作がなし得るように構成されている。これによって、スケーラーチップ１１の、ハンドピース２の先端部２ｂに対する着脱が自在とされる。装着基部１２の長手方向に沿った中央部には、給水管路１２ｃが設けられ、この給水管路１２ｃは、前記軸部１３の装着基部１２に対する連成基部に開口する注水口１２ｅに通じる注水管路１２ｄに連通している。注水管路１２ｄ及び注水口１２ｅは、注出水が作用端部１４に向くよう形成され、治療中に患部や作用端部の冷却及び洗浄を行い得るようになされている。給水管路１２ｃには、ハンドピース２に内蔵された不図示の給水管路を経て、前記媒体供給用チューブ４に内装される不図示の給水管より水が供給される。
【００１４】
前記軸部１３は、前記装着基部１２に連なって延び、途中略くの字形に屈曲され、先端側に向け漸次小径となる円柱状に形成されている。作用端部１４は、先端に向かって先細の直円錐体１５からなり、この直円錐体１５の底面１５ａの中央部において、前記軸部１３の先端に同心一体に連成されている。この作用端部１４及び軸部１３の少なくとも先側部分は、歯牙の根管（図３参照）に挿入し得る大きさ及び外径とされている。本実施形態においては、軸部１３の軸心１３ａと、直円錐体１５の底面１５ａとのなす角度αは９０°とされている。また、直円錐体１５における底面１５ａと母線１５ｂとのなす角度βは鋭角とされ、底面１５ａの円形周縁部１５ｃはナイフエッジ状に形成される。図例では、直円錐体１５の頂角が５０°、角度βが６５°とされている。
【００１５】
このような構成のスケーラーチップ１１を備える根管治療用振動切削装置１による根管治療の要領について、図３も参照して説明する。根管治療に先立ち、術者は、先ず図１に示す電源スイッチ９をオンとし、次いで設定操作部８において、各種条件の設定を行う。即ち、出力レベル選択設定スイッチ８１によって振動の出力レベルの設定を行う。△スイッチは出力レベルを上げる場合、▽スイッチは下げる場合に使用される。設定された出力レベルは表示部７に表示される。また、注水選択スイッチ８２によって、注水を同時に行うか否かを選択設定する。この設定結果も表示部７に表示される。更に、オートストップ設定スイッチ８３において、スイッチ８３ａによってスケーラーチップ１１の振動を自動的に停止させる基準位置を設定する。△スイッチは基準位置を上げる、即ち、根尖位置から遠ざける場合、▽スイッチは基準位置を下げる、即ち根尖位置に近づける場合に使用される。そして、設定された基準位置で自動停止させる場合は、選択スイッチ８３ｂをオンとする。基準位置の設定は、前記制御部５に予め記憶されている根管の絵図を表示部７に読み出し、この絵図に対して前記スイッチ操作による指示子の移動指示によってなされる。
【００１６】
前記のように条件設定を行った後、ハンドピース２の把持部２ａを把持し、図３に示すように、歯牙Ｔの根管Ｔ１にスケーラーチップ１１をその先端の作用端部１４より挿入する。図３は、根管Ｔ１内に充填されたガッタパーチャ等の熱可塑性充填物ｇを切削除去する場合を示している。そして、術者は、フートコントローラ６を足踏み操作して、振動子３を駆動させ、作用端部１４の先端を充填物ｇにあてがう。振動子３による振動は、軸部１３を介して（図３の矢印参照）作用端部１４に伝播される。作用端部１４に接触する充填物ｇは、作用端部１４の振動により熱を持ち、これによって溶融し出す。作用端部１４は、直円錐体１５からなるから、振動と充填物ｇの溶融によって、その頂部より充填物ｇの層内にスムースに潜り込んでゆく。この振動を伴った潜り込みの過程で、ナイフエッジ形状の前記周縁部１５ｃが周辺の充填物ｇに引っ掛かるように作用して、充填物ｇの切削が効果的になされる。そして、スケーラーチップ１１を上下させることによって、切削された充填物ｇが解れるように小塊状になって浮動する。その後、振動を停止させ、充填物ｇの冷却硬化を待って、スケーラーチップ１１を根管Ｔ１内から引き抜くと、硬化して小塊状になった充填物ｇを掻き取るようにして根管Ｔ１の外に取り出すことができる。前記設定操作部８の注水選択スイッチ８２によって注水状態に設定されていると、作用端部１４を振動させている際、注水口１２ｅから作用端部１４に向けて注水され、作用部位の過熱化が抑えられる。また、オートストップ設定スイッチ８３において、オートストップ機能が設定されていると、スケーラーチップ１１の先端が基準位置に達した時に、振動子３の振動が停止すると共に、注水も停止する。これらの動作制御は、前記制御部５によってなされる。
【００１７】
このような、スケーラーチップ１１による機能は、根管内の破折線の切削拡大治療を行う際にも同様に発揮される。即ち、根管Ｔ１の内壁に形成された破折線を、周縁部１５ｃで引っ掻くように切削拡大し、病変部を除去したり、再汚染を防止したりすることができ、これらの作業が極めて効率的になされる。
【００１８】
図４は、本実施形態のスケーラーチップ１１の変形例を示す。この例のスケーラーチップ１１は、作用端部１４が、図２に示す例に比べて、頂角及び底面の径が大きい直円錐体１６からなる点で、図２に示す例と異なる。しかし、直円錐体１６の底面１６ａの中央部において、前記軸部１３の先端に同心一体に連成されている点、この作用端部１４及び軸部１３の少なくとも先側部分は、歯牙の根管（図３参照）に挿入し得る大きさ及び外径とされている点、軸部１３の軸心１３ａと、直円錐体１６の底面１６ａとのなす角度αが９０°とされている点、装着基部１２及び軸部１３の構造等は、図２に示す例と同じである。従って、直円錐体１６における底面１６ａと母線１６ｂとのなす角度βが、図２に示す例より小さく、底面１６ａの円形周縁部１６ｃは一層鋭利なナイフエッジ状に形成されている。図例では、直円錐体１６の頂角が１１２°、角度βが３４°とされている。
【００１９】
この例のスケーラーチップ１１を用いて図３に示すような根管治療を行う場合、根管Ｔ１内への挿入時の抵抗は大きくなるが、周縁部１６ｃの充填物ｇに対する引っ掛かり切削機能がより顕著となり、また、切削物を掻き取り根管Ｔ１の外に取り出す作業がより効果的になされる。特に、底面１６ａの径が図２に示す例の底面１５ａより実質的に大とされるから、切削除去された充填物ｇの根管Ｔ１外への取り出しがより効率的になされる。
【００２０】
図５は、本実施形態のスケーラーチップ１１の更に別の変形例を示す。この例のスケーラーチップ１１は、作用端部１４が、図４に示す例に比べて、底面の径が小さい直円錐体１７からなる点で図４に示す例と異なるが、その他の構成は、図４に示す例とほぼ同じである。尚、図例では、直円錐体１７の頂角が１２０°、角度βが３０°とされ、底面１７ａの円形周縁部１７ｃは、図４の例より一層鋭利なナイフエッジ状に形成されている。この例のスケーラーチップ１１を用いて図３に示すような根管治療を行う場合、根管Ｔ１内への挿入時の抵抗は、図４に示す例より小さくなると共に、周縁部１７ｃの充填物ｇに対する引っ掛かり切削性がより向上する。
【００２１】
図６は、本実施形態のスケーラーチップ１１の更に別の変形例を示す。この例のスケーラーチップ１１においては、作用端部１４が、頂部が切断された形状の正四角錐体１８からなる。正四角錐体１８は、底面１８ａの中央部において、前記軸部１３の先端に同心一体に連成されている。この作用端部１４及び軸部１３の少なくとも先側部分は、歯牙の根管（図３参照）に挿入し得る大きさ及び外径とされている。本実施形態においては、軸部１３の軸心１３ａと、正四角錐体１８の底面１８ａとのなす角度αは９０°とされている。また、正四角錐体１８における底面１８ａと母線１８ｂとのなす角度βが鋭角とされ、正四角形状をなす底面１８ａの周縁部１８ｃはナイフエッジ状に形成される。図例では、角度βが約６７°とされている。このような正四角錐体１８は、４本の稜線部１８ｄを有するから、この例のスケーラーチップ１１を用いて図３に示すような根管治療を行う場合、振動に伴う稜線部１８ｄの作用が付加され、充填物ｇの切削除去性がより向上する。
【００２２】
図７は、本実施形態のスケーラーチップ１１の更に別の変形例を示す。この例のスケーラーチップ１１においては、作用端部１４が、図２に示す例と同様の２個の直円錐体１９，２０を、同心且つ軸部１３の軸心１３ａに沿って直列に連結した形状の２段円錐体２１からなる。但し、軸部１３側の直円錐体１９は直円錐台形状で先側の直円錐体２０に一体に連結されている。そして、直円錐体１９は、底面１９ａの中央部において、前記軸部１３の先端に同心一体に連成されている。２段円錐体２１からなる作用端部１４及び軸部１３の少なくとも先側部分は、歯牙の根管（図３参照）に挿入し得る大きさ及び外径とされている。この例のスケーラーチップ１１においては、軸部１３の軸心１３ａと直円錐体１９の底面１９ａとのなす角度α１、及び、軸部１３の軸心１３ａと直円錐体２０の底面２０ａとのなす角度α２は、いずれも９０°とされている。また、直円錐体１９における底面１９ａと母線１９ｂとのなす角度β１、及び直円錐体２０における底面２０ａと母線２０ｂとのなす角度β２がいずれも鋭角とされ、底面１９ａの円形周縁部１９ｃ、及び底面２０ａの円形周縁部２０ｃは、いずれもナイフエッジ状に形成される。この例のように２段のナイフエッジ状の円形周縁部１９ｃ，２０ｃを備えたスケーラーチップ１１を用いて、図３に示すような根管治療を行う場合、２段のナイフエッジ状円形周縁部１９ｃ，２０ｃの相乗作用によって、前記のような充填物ｇの切削除去や根管Ｔ１からの取り出しがより効率的になされる。
【００２３】
図８は、本発明の他の実施形態のスケーラーチップを示す。この実施形態のスケーラーチップ１１Ａは、図１に示す例と同様に、ハンドピース２の先端部２ｂに着脱自在に装着させる為の装着基部１２と、該装着基部１２に連成された軸部１３と、該軸部１３の先端に連成された作用端部１４とより構成される。装着基部１２及び軸部１３の構成は、前記例と同様であるので、ここでは共通部分に同一の符号を付し、その説明を割愛する。この実施形態のスケーラーチップ１１Ａにおける作用端部１４は、図２に示す例と同様に直円錐体２２からなるが、軸部１３の軸心１３ａと、直円錐体２２の底面２２ａとのなす角度αは鋭角とされている。即ち、底面２２ａは軸心１３ａに沿って直円錐体２２の頂部に向かって凹んだ円錐状の形状とされており、その為、図２示す直円錐体１５と外形状は同じであっても、当該直円錐体２２における底面２２ａと母線２２ｂとのなす角度βが、図２示す直円錐体１５における角度βより小さく、底面２２ａの円形周縁部２２ｃはナイフエッジ状がより鋭利な状態に形成される。
【００２４】
従って、この実施形態のスケーラーチップ１１Ａを用いて図３に示すような根管治療を行う場合、ナイフエッジ状が顕著な円形周縁部２２ｃによって、充填物ｇの切削除去がより効率的になされる。また、底面２２ａが直円錐体２２の頂部側に凹んでいるから、切削された充填物ｇを根管Ｔ１の外に取り出す際に、底面２２ａが受け皿的に機能し、取り出しがスムースになされる。この実施形態の作用端部１４の構成は、図４〜図７に示す例にも適用することが可能で、これによって、各例の機能に本実施形態の特性が相乗され、前記術者のニーズに応え得るスケーラーチップにより近づけることができる。
【００２５】
図９及び図１０は、本発明の更に他の実施形態の根管治療用振動切削工具を備えるハンドピースを示している。図９に示すハンドピース２Ａは、図１に示すハンドピース２と同様に、その把持部２ａに振動子３を内蔵し、基部２ｃには前記振動子３に駆動力を供給する動力媒体供給路を内装する媒体供給用チューブ４が連結可能とされている。また、ハンドピース２Ａの先端部２ｂには、エンドチップ２０が着脱自在に装着されている。このエンドチップ２０は、その基部の雄ねじ部２０ａと、先端部のスケーラーチップ取付部２０ｂとを備えている。雄ねじ部２０ａは、ハンドピース２Ａの先端部２ｂに形成された不図示の雌ねじ部に螺合可能とされ、エンドチップ２０の胴部に形成されたフライスカット部２０ｃにレンチ等の工具を作用させて雄ねじ部２０ａを螺合・螺緩操作することによって、エンドチップ２０のハンドピース２Ａに対する着脱が可能とされている。
【００２６】
また、本実施形態のスケーラーチップ１１Ｂは、図示のように屈曲形成された軸部１３と、その先端に一体に連成された作用端部１４より構成される。作用端部１４としては、前記各例のような円錐または角錐状のものが同様に形成される。このスケーラーチップ１１Ｂは、軸部１３をして、エンドチップ２０に着脱自在に取付けられる。即ち、前記スケーラーチップ取付部２０ｂは、ナット部と、このナット部内に設けられたコレットチャック部とよりなり、図９（ｂ）に片矢印で示すように、コレットチャック部に前記軸部１３の直状基部１３ａを挿入し、ナット部を締め付けることによってスケーラーチップ１１Ｂをコレットチャック部によってエンドチップ２０に固定することができる。図９（ａ）に示すように、エンドチップ２０を介してスケーラーチップ１１が装着されたハンドピース２Ａにおいても、振動子３からの振動がスケーラーチップ１１Ｂの先端の作用端部１４にまで伝播され、これによって、前記と同様の根管治療を実施することができる。
尚、この実施形態においては、前記給水管路１２ｃ、注水管路１２ｄ及び注水口１２ｅは、図示を省略するが、エンドチップ２０に形成され、同様に機能させることができる。
【００２７】
図１０に示すハンドピース２Ｂは、図９に示すハンドピース２と同様に、その把持部２ａに振動子３を内蔵し、基部２ｃには前記振動子３に駆動力を供給する動力媒体供給路を内装する媒体供給用チューブ４が連結可能とされている。また、ハンドピース２Ｂの先端部２ｂには、図９の例とは異なるエンドチップ２１が着脱自在に装着されている。このエンドチップ２１は、その基部の雄ねじ部２１ａと、先端部のスケーラーチップ取付部２１ｂと、該取付部２１ｂに螺装される固定ねじ２１ｃとを備えている。雄ねじ部２１ａは、ハンドピース２Ｂの先端部２ｂに形成された不図示の雌ねじ部に螺合可能とされ、エンドチップ２１の胴部に形成されたフライスカット部２１ｄにレンチ等の工具を作用させて雄ねじ部２１ａを螺合・螺緩操作することによって、エンドチップ２１のハンドピース２Ｂに対する着脱が可能とされている。
【００２８】
また、本実施形態のスケーラーチップ１１Ｃは、図示のように直状の軸部１３と、その先端に一体に連成された作用端部１４より構成される。作用端部１４としては、前記各例のような円錐または角錐状のものが同様に形成される。図１０（ｂ）に片矢印で示すように、スケーラーチップ１１Ｃは、軸部１３の基部をして、前記取付部２１ｂにその側部に形成された不図示の小孔よりエンドチップ２１の長手方向に直交するよう挿入さる。そして、取付部２１ｂにその先端開口部より前記固定ねじ２１ｃを螺装し、該固定ねじ２１ｃの締め付け力によって、軸部１３の基部が取付部２１ｂの内壁に押付けられて、スケーラーチップ１１Ｃがエンドチップ２１に固定される。図１０（ａ）に示すように、エンドチップ２１を介してスケーラーチップ１１Ｃが装着されたハンドピース２Ｂにおいても、振動子３からの振動がスケーラーチップ１１Ｃの先端の作用端部１４にまで伝播され、これによって、前記と同様の根管治療を実施することができる。
尚、この実施形態においても、前記給水管路１２ｃ、注水管路１２ｄ及び注水口１２ｅは、図示を省略するが、エンドチップ２１に形成され、同様に機能させることができる。
【００２９】
尚、作用端部１４を構成する錐状体の形状は例示のものに限らず、例えば、三角錐や五角錐、六角錐等の多角錐、更には、断面星形の形状も採用可能である。また、軸部１３も図示のようなくの字形や、直状のものに限らず、例えば円弧状に湾曲した形状であっても良い。更に、図１において、駆動操作部として、フートコントローラ６を例示したが、これに限らず、制御ボックス５０自体に、或いは診療台を備えた歯科用ユニットなど他の歯科診療装置に付設されるものであっても良い。更には、本発明の根管治療用振動切削工具及び根管治療用振動切削装置は、根管治療用として用いられるものであるが、歯周ポケットの歯石除去や、歯牙の窩洞形成に応用することもできる。また、図１に示す根管治療用振動切削装置１を、根管長測定装置と合体した装置として構成することも可能である。
【符号の説明】
【００３０】
１                              根管治療用振動切削装置
２，２Ａ，２Ｂ                  ハンドピース
２ａ                            把持部
２ｂ                            先端部
２ｃ                            基部
３                              振動子
４                              媒体供給用チューブ
５                              制御部
６                              駆動操作部
１１                            スケーラーチップ（根管治療用振動切削工具）
１３                            軸部
１３ａ                          軸心
１４                            作用端部
１５〜１７，１９、２０，２２    直円錐体（錐状体）
１８                            正四角錐体（錐状体）
１５ａ〜２０ａ，２２ａ          底面
α                              底面と軸心とのなす角度
Ｔ１                            根管
【図１】
0005622540.tif 000002
【図２】
0005622540.tif 000003
【図３】
0005622540.tif 000004
【図４】
0005622540.tif 000005
【図５】
0005622540.tif 000006
【図６】
0005622540.tif 000007
【図７】
0005622540.tif 000008
【図８】
0005622540.tif 000009
【図９】
0005622540.tif 000010
【図１０】
0005622540.tif 000011